(57)【要約】【課題】要介護者が腕を伸ばすこともなく、しかも寝たままの状態で着替えをさせることができ、さらに介護者が要介護者の身体を抱き上げなくても、また上半身を抱え起こさなくても、着替えをさせることができる介護用着衣を提供する。【解決手段】着衣を中央で左右に二分割して、左側前後身頃部１と、右側前後身頃部２とからなるものとし、左側前後身頃部１は、左側前身頃部１ａと左側後身頃部１ｂとからなるものとし、右側前後身頃部２は、右側前身頃部２ａと右側後身頃部２ｂとからなるものとし、さらに左側前身頃部１ａの側端３ａと右側前身頃部２ａの側端４ａとを係着具５により着脱自在に連結可能なものとし、左側後身頃部１ｂの側端３ｂと右側後身頃部２ｂの側端４ｂとを係着具６により着脱自在に連結可能なものとしている。【選択図】図１
0003121195.tif 000002
【実用新案登録請求の範囲】
【請求項１】
着衣を中央で左右に二分割して、左側前後身頃部（１）と、右側前後身頃部（２）とからなるものとし、左側前後身頃部（１）は、左側前身頃部（１ａ）と左側後身頃部（１ｂ）とからなるものとし、右側前後身頃部（２）は、右側前身頃部（２ａ）と右側後身頃部（２ｂ）とからなるものとし、さらに左側前身頃部（１ａ）の側端（３ａ）と右側前身頃部（２ａ）の側端（４ａ）とを係着具（５）により着脱自在に連結可能なものとし、左側後身頃部（１ｂ）の側端（３ｂ）と右側後身頃部（２ｂ）の側端（４ｂ）とを係着具（６）により着脱自在に連結可能なものとしたことを特徴とする介護用着衣。
【請求項２】
左側前後身頃部（１）に袖（７）を、右側前後身頃部（２）に袖（８）を、それぞれ有したものとしたことを特徴とする請求項１記載の介護用着衣。
【請求項３】
係着具（５、６）を点状の面ファスナーとし、左側前身頃部（１ａ）の側端（３ａ）、左側後身頃部（１ｂ）の側端（３ｂ）、右側前身頃部（２ａ）の側端（４ａ）、右側後身頃部（２ｂ）の側端（４ｂ）にそれぞれ所定間隔をおいて複数個取り付けたものとしたことを特徴とする請求項１または２記載の介護用着衣。
【考案の詳細な説明】
【技術分野】
【０００１】
この考案は、寝たきりの病人や老人、手の不自由な人など要介護者に適した介護用着衣に関するものである。
【背景技術】
【０００２】
寝たきりの病人や老人、手の不自由な人など要介護者の着衣を着替えさせる場合に、寝たままの姿勢で着衣の袖を脱がしたり、袖に腕を通したりすることは、介護者にとって大変な労力を要すると共に、要介護者にとっても身体に負担がかかる。
【０００３】
そのため、この種の介護用着衣として考案されたものには、例えば図３に示したように、ボタン１１の係脱で開閉させるようにした左右の前身頃１２と、後身頃１３と、左右の袖１４と、襟１５とを有する上着において、袖１４の下辺１６先端（袖口）から前身頃１２と後身頃１３と境界部となる脇１７から胴部下端までを、左右の袖ごとにそれぞれ一連に切り離し、この切り離しにより形成された縁部に、所要の長さ寸法としたタッチ・クローズ型の面ファスナー１８を、脱着式の部分止め具として所要間隔で取り付け、この面ファスナー１８の脱着によって前身頃１２側と後身頃１３側を開閉できるようにしたものが存在する（特許文献１）。
【０００４】
このように構成された従来の介護用着衣は、いちいち袖１４から腕を引き抜いたり、袖１４に腕を通す等の動作をすることなく、介護者にとっては少ない労力で容易に着替えを行うことができ、要介護者にとっても身体に負担がかからないものになるとしている。
【特許文献１】登録実用新案第３０６２２９１号公報（第５、７頁、図１）
【考案の開示】
【考案が解決しようとする課題】
【０００５】
しかしながら、上記従来の介護用着衣では、寝たきりの病人や老人の背中に、寝たままの状態で後身頃１３をあてがうには、介護者が身体を抱き上げてその下に着衣を通すか、上半身を抱え起こしてその着衣の後身頃１３をあてがうかしなければならず、いずれにしても介護者にとっては大変な労力を要すると共に、要介護者にとっても身体に負担がかかることには変わりなかった。
【０００６】
そこで、この考案は、上記従来の問題点を解決するものであり、要介護者が腕を伸ばすこともなく、しかも寝たままの状態で着替えをさせることができ、さらに介護者が要介護者の身体を抱き上げなくても、また上半身を抱え起こさなくても、着替えをさせることができる介護用着衣を提供することを目的としてなされたものである。
【課題を解決するための手段】
【０００７】
そのため、この考案の介護用着衣は、着衣を中央で左右に二分割して、左側前後身頃部１と、右側前後身頃部２とからなるものとし、左側前後身頃部１は、左側前身頃部１ａと左側後身頃部１ｂとからなるものとし、右側前後身頃部２は、右側前身頃部２ａと右側後身頃部２ｂとからなるものとし、さらに左側前身頃部１ａの側端３ａと右側前身頃部２ａの側端４ａとを係着具５により着脱自在に連結可能なものとし、左側後身頃部１ｂの側端３ｂと右側後身頃部２ｂの側端４ｂとを係着具６により着脱自在に連結可能なものとしている。
【０００８】
そして、この考案の介護用着衣は、左側前後身頃部１に袖７を、右側前後身頃部２に袖８を、それぞれ有したものとしている。
【０００９】
さらに、この考案の介護用着衣は、係着具５、６を点状の面ファスナーとし、左側前身頃部１ａの側端３ａ、左側後身頃部１ｂの側端３ｂ、右側前身頃部２ａの側端４ａ、右側後身頃部２ｂの側端４ｂにそれぞれ所定間隔をおいて複数個取り付けたものとしている。
【考案の効果】
【００１０】
この考案の介護用着衣は、以上に述べたように構成されており、要介護者が腕を伸ばすこともなく、しかも寝たままの状態で着替えをさせることができるものとなるので、身体に負担がかからず、さらに介護者が要介護者の身体を抱き上げなくても、また上半身を抱え起こさなくてもよいものとなるので、介護者にとっても少ない労力で容易に着替えをさせることができるものとなる。
【考案を実施するための最良の形態】
【００１１】
以下、この考案の介護用着衣の実施の形態を、図面に基づいて詳細に説明する。
【００１２】
この考案の介護用着衣は、図１に示したように、着衣を中央で左右に二分割して、左側前後身頃部１と、右側前後身頃部２とからなるものとしている。そして、左側前後身頃部１は、左側前身頃部１ａと左側後身頃部１ｂとからなるものとし、右側前後身頃部２は、右側前身頃部２ａと右側後身頃部２ｂとからなるものとしている。さらに、左側前身頃部１ａの側端３ａと右側前身頃部２ａの側端４ａとを係着具５により着脱自在に連結可能なものとし、左側後身頃部１ｂの側端３ｂと右側後身頃部２ｂの側端４ｂとを係着具６により着脱自在に連結可能なものとしている。
【００１３】
この考案の介護用着衣は、シャツ等の肌着、パジャマ等の寝間着、トレーナ等の普段着とするなど、特に限定されることなく何であってもよい。
【００１４】
左側前後身頃部１は、袖７を有したものとし、右側前後身頃部２は、袖８を有したものとしている。左側前後身頃部１と袖７、右側前後身頃部２と袖８は、図示したものでは、それぞれ二枚の布地を繋ぎ合わせたものとしているが、ラグラン袖とする場合などには一枚の布地からなるものとしてもよい。また、袖７、８は、図示したものでは、七部袖にしているが、長袖にしても、もちろん半袖であってもよい。
【００１５】
なお、この考案の介護用着衣は、袖無しにすることもでき、その場合には袖７、８は不要であるのは言うまでもない。さらに、この考案の介護用着衣は、襟付きにすることもでき、その場合には襟を中央で左右に二分割にして、それぞれの側端を係着具により着脱自在に連結可能なものとする。
【００１６】
左側前身頃部１ａと左側後身頃部１ｂ、右側前身頃部２ａと右側後身頃部２ｂは、図示したものではそれぞれ一枚の布地からなるものとしているが、二枚の布地を繋ぎ合わせたものとしてもよい。
【００１７】
係着具５、６は、それぞれ雄体と雌体からなるものとし、いずれか一方を左側前身頃部１ａの側端３ａ、左側後身頃部１ｂの側端３ｂに、他方を右側前身頃部２ａの側端４ａ、右側後身頃部２ｂの側端４ｂに取り付けたものとしている。係着具５、６は、面ファスナー、スライドファスナー、ボタン、ホック、紐などとすることができる。面ファスナーとした場合には、着衣への取り付けが容易であり、寝ているときの背中への当たりも弱く、着心地が良いものとなる。なお、係着具５、６を面ファスナーにした場合には、長細の帯状のものを左側前身頃部１ａの側端３ａ、左側後身頃部１ｂの側端３ｂ、右側前身頃部２ａの側端４ａ、右側後身頃部２ｂの側端４ｂに沿って、これら側端３ａ、３ｂ、４ａ、４ｂの全体に取り付けても、背中への当たりが弱くなり、着心地も良いものとなるが、図に示したように、円形など点状のもの、いわゆるタッチ・クローズ型のものを左側前身頃部１ａの側端３ａ、左側後身頃部１ｂの側端３ｂ、右側前身頃部２ａの側端４ａ、右側後身頃部２ｂの側端４ｂにそれぞれ所定間隔をおいて複数個取り付けたものでは、寝ているときの背中への当たりがより弱くなり、着心地がより良いものとなる。
【００１８】
以上のように構成したこの考案の介護用着衣を、寝たきりの病人や老人などの要介護者に着せる場合には、例えば次のような手順で行う。
【００１９】
先ず、この考案の介護用着衣を要介護者が寝たままの状態で着せるには、図１に示したような二分割にした状態で、要介護者の左腕を上にして身体を横向きにし、左側前後身頃部１の袖７を通し、左側前身頃部１ａを要介護者の左側の胸から腹にあてがい、左側後身頃部１ｂを要介護者の左側の背中にあてがう。
【００２０】
次に、要介護者の身体を仰向けに戻し、今度は右腕を上にして身体を横向きにし、右側前後身頃部２の袖８を通し、右側前身頃部２ａを要介護者の右側の胸から腹にあてがい、右側後身頃部２ｂを要介護者の右側の背中にあてがう。
【００２１】
そして、右側前身頃部２ａの側端４ａと前記左側前身頃部１ａの側端３ａとを係着具５により連結すれば、横向きにした要介護者の着衣の前側を閉じることができる。
【００２２】
さらに、右側後身頃部２ｂの側端４ｂと前記左側後身頃部１ｂの側端３ｂとを係着具６により連結すれば、横向きにした要介護者の着衣の後側を閉じることができる。
【００２３】
このようにすれば、要介護者に着衣を着せることができ、着衣を着せた後は、要介護者の身体を仰向けに戻せばよい。
【００２４】
さらに、別の手順で、この考案の介護用着衣を要介護者が寝たままの状態で着せるには、図１に示したような二分割にした状態で、仰向けに寝かせた要介護者の左腕に左側前後身頃部１の袖７を通し、要介護者の右腕に右側前後身頃部２の袖７を通す。
【００２５】
そして、左側前身頃部１ａと右側前身頃部２ａをそれぞれ要介護者の胸から腹にあてがい、それらの側端３ａと側端４ａとを係着具５により連結すれば、着衣の前側を閉じることができる。
【００２６】
次に、要介護者の左腕を上にして身体を横向きにし、左側後身頃部１ｂを要介護者の背中の左側部にあてがう。
【００２７】
そして、要介護者の身体を仰向けに戻し、今度は右腕を上にして身体を横向きにし、右側後身頃部２ｂを要介護者の背中の右側部にあてがい、この右側後身頃部２ｂの側端４ｂと左側後身頃部１ｂの側端３ｂとを係着具６により連結すれば、着衣の後側を閉じることができる。
【００２８】
このようにすれば、要介護者に着衣を着せることができ、着衣を着せた後は、要介護者の身体を仰向けに戻せばよい。
【００２９】
また、この考案の介護用着衣を脱がせる場合には、上記と逆の手順で行えばよいことは言うまでもない。
【００３０】
したがって、この考案の介護用着衣は、要介護者が腕を伸ばすこともなく、しかも寝たままの状態で着替えをさせることができ、さらに介護者が要介護者の身体を抱き上げなくても、また上半身を抱え起こさなくても、着替えをさせることができるものとなる。
【図面の簡単な説明】
【００３１】
【図１】この考案の介護用着衣を左側前後身頃部と右側前後身頃部とに二分割にした状態の斜視図である。
【図２】この考案の介護用着衣の左側前後身頃部と右側前後身頃部とを連結した状態の斜視図である。
【図３】従来の介護用着衣を正面から見た状態の説明図である。
【符号の説明】
【００３２】
１  左側前後見頃部
１ａ  左側前見頃部
１ｂ  左側後見頃部
２  右側前後見頃部
２ａ  右側前見頃部
２ｂ  右側後見頃部
３ａ  側端
３ｂ  側端
４ａ  側端
４ｂ  側端
５  係着具
６  係着具
７  袖
８  袖
【図１】
0003121195.tif 000003
【図２】
0003121195.tif 000004
【図３】
0003121195.tif 000005